【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
それぞれ他のノードと信号を送受信する通信手段を有する下位層を備えた複数のノードが接続されたネットワークにおける１つのノードを構成する通信装置であって、
前記下位層を管理する第１の上位層と、
前記ネットワークに接続された他のノードのうち特定の末端ノードの下位層を前記ネットワーク越しに管理する第２の上位層とを備えたことを特徴とする通信装置。
【請求項２】
前記第２の上位層は、前記通信手段が受信する命令に基づき、前記特定の末端ノードの下位層を制御するための制御信号を生成する生成手段とを有する請求項１記載の通信装置。
【請求項３】
前記第２の上位層は、さらに前記特定の末端ノードの下位層に、前記ネットワークを介して前記制御信号を書き込む制御信号書込み手段とを有する請求項２記載の通信装置。
【請求項４】
前記生成手段は、前記命令を記憶し、前記記憶した命令を解釈することにより前記制御信号を生成する請求項２又は３記載の通信装置。
【請求項５】
さらに、管理対象である前記特定の末端ノードの機能に関する情報を記憶する記憶手段を有する請求項１〜４のいずれか１つに記載の通信装置。
【請求項６】
前記記憶手段は、前記ネットワークに接続された他のノードからアクセス可能である請求項５記載の通信装置。
【請求項７】
さらに、管理対象である前記特定の末端ノードが前記ネットワークに接続された時に、当該末端ノードの機能に関する情報を前記記憶手段に書き込む情報書込み手段を有する請求項５又は６記載の通信装置。
【請求項８】
さらに、管理対象である前記特定の末端ノードが前記ネットワークから切断された時に、当該末端ノードの機能に関する情報を前記記憶手段から削除する情報削除手段を有する請求項５〜７のいずれか１つに記載の通信装置。
【請求項９】
さらに、前記特定の末端ノードが有する自機を管理するノードの情報を記憶する管理ノード記憶手段に前記管理するノードの情報を書き込む管理ノード情報書込み手段を有する請求項１〜８のいずれか１つに記載の通信装置。
【請求項１０】
前記ノードはそれぞれＩＥＥＥ１３９４規格に準拠している請求項１〜９のいずれか１つに記載の通信装置。
【請求項１１】
前記下位層は、ハードウェアによって構成される請求項１〜１０のいずれか１つに記載の通信装置。
【請求項１２】
前記第１の上位層及び第２の上位層は、ソフトウェアによって構成される請求項１〜１１のいずれか１つに記載の通信装置。
【請求項１３】
前記第１の上位層は、前記下位層が行う他のノードとの通信コネクションの設定を管理するものであり、
前記第２の上位層は、前記特定の末端ノードの下位層が行う他のノードとの通信コネクションの設定を管理するものである請求項１〜１２のいずれか１つに記載の通信装置。
【請求項１４】
ネットワークに接続された他のノードと信号を送受信する通信手段を有する下位層と、
前記通信手段が上位層に対する信号を受信したときは、上位層を備えていないことを前記ネットワークを介して前記他のノードに通知する通知手段と
を有し、前記ネットワーク上の１つのノードを構成する通信装置。
【請求項１５】
さらに、  前記下位層に対する信号を前記通信手段が受信した場合には、該信号に応じた処理を行う処理手段を有する請求項１４記載の通信装置。
【請求項１６】
さらに、自機を管理するノードの情報を記憶する管理ノード記憶手段を有する請求項１４又は１５記載の通信装置。
【請求項１７】
ネットワークに接続された他のノードと信号を送受信する通信手段を有する下位層と、該下位層に対する信号を前記通信手段が受信した場合には、該信号に応じた処理を行う処理手段と、前記通信手段が上位層に対する信号を受信したときは、上位層を備えていないことを前記他のノードに通知する通知手段とを有し、前記ネットワーク上の１つのノードを構成する末端ノードと、
前記ネットワークに接続された他のノードと信号を送受信する通信手段を有する下位層と、該下位層を管理する第１の上位層と、前記末端ノードの下位層を前記ネットワークを介して管理する第２の上位層とを有し、前記ネットワーク上の１つのノードを構成する統括ノードと
を有する通信システム。
【請求項１８】
前記統括ノードの第２の上位層は、前記通信手段が受信する命令に基づき、前記末端ノードの下位層を制御するための制御信号を生成する生成手段とを有する請求項１７記載の通信システム。
【請求項１９】
前記統括ノードの第２の上位層は、さらに前記末端ノードの下位層に、前記ネットワークを介して前記制御信号を書き込む制御信号書込み手段とを有する請求項１８記載の通信システム。
【請求項２０】
前記生成手段は、前記命令を記憶し、前記記憶した命令を解釈することにより前記制御信号を生成する請求項１８又は１９記載の通信システム。
【請求項２１】
前記統括ノードは、さらに、前記末端ノードの機能に関する情報を記憶する記憶手段を有する請求項１７〜２０のいずれか１つに記載の通信システム。
【請求項２２】
前記記憶手段は、前記ネットワークに接続された他のノードからアクセス可能である請求項２１記載の通信システム。
【請求項２３】
前記統括ノードは、さらに、前記末端ノードが前記ネットワークに接続された時に、当該末端ノードの機能に関する情報を前記記憶手段に書き込む情報書込み手段を有する請求項２１又は２２記載の通信システム。
【請求項２４】
前記統括ノードは、さらに、前記末端ノードが前記ネットワークから切断された時に、当該末端ノードの機能に関する情報を前記記憶手段から削除する情報削除手段を有する請求項２１〜２３のいずれか１つに記載の通信システム。
【請求項２５】
前記末端ノードは、前記統括ノードの情報を記憶する統括ノード記憶手段を有する請求項１７〜２４のいずれか１つに記載の通信システム。
【請求項２６】
前記統括ノードは、さらに、前記末端ノードが有する前記統括ノード記憶手段に前記ネットワークを介して前記統括ノードの情報を書き込むノード情報書込み手段を有する請求項２５記載の通信システム。
【請求項２７】
前記ノードはそれぞれＩＥＥＥ１３９４規格に準拠している請求項１７〜２６のいずれか１つに記載の通信システム。
【請求項２８】
前記統括ノードの下位層及び末端ノードの下位層は、ハードウェアによって構成される請求項１７〜２７のいずれか１つに記載の通信システム。
【請求項２９】
前記統括ノードの第１の上位層及び第２の上位層は、ソフトウェアによって構成される請求項１７〜２８のいずれか１つに記載の通信システム。
【請求項２９】
前記統括ノードの第１の上位層は、前記統括ノードの下位層が行う他のノードとの通信コネクションの設定を管理するものであり、
前記統括ノードの第２の上位層は、前記特定の末端ノードの下位層が行う他のノードとの通信コネクションの設定を管理するものである請求項１７〜２９のいずれか１つに記載の通信システム。
【手続補正２】
【補正対象書類名】明細書
【補正対象項目名】００２０
【補正方法】変更
【補正の内容】
【００２０】  
【課題を解決するための手段】  本発明の一観点によれば、それぞれ他のノードと信号を送受信する通信手段を有する下位層を備えた複数のノードが接続されたネットワークにおける１つのノードを構成する通信装置は、前記下位層を管理する第１の上位層と、前記ネットワークに接続された他のノードのうち特定の末端ノードの下位層を前記ネットワーク越しに管理する第２の上位層とを備えたことを特徴とする。
【手続補正３】
【補正対象書類名】明細書
【補正対象項目名】００２１
【補正方法】変更
【補正の内容】
【００２１】
また、本発明の他の観点によれば、通信装置は、ネットワークに接続された他のノードと信号を送受信する通信手段を有する下位層と、前記通信手段が上位層に対する信号を受信したときは、上位層を備えていないことを前記ネットワークを介して前記他のノードに通知する通知手段とを有し、前記ネットワーク上の１つのノードを構成する。
【手続補正４】
【補正対象書類名】明細書
【補正対象項目名】００２２
【補正方法】変更
【補正の内容】
【００２２】
さらに、本発明の他の観点によれば、通信システムは、ネットワークに接続された他のノードと信号を送受信する通信手段を有する下位層と、該下位層に対する信号を前記通信手段が受信した場合には、該信号に応じた処理を行う処理手段と、前記通信手段が上位層に対する信号を受信したときは、上位層を備えていないことを前記他のノードに通知する通知手段とを有し、前記ネットワーク上の１つのノードを構成する末端ノードと、前記ネットワークに接続された他のノードと信号を送受信する通信手段を有する下位層と、該下位層を管理する第１の上位層と、前記末端ノードの下位層を前記ネットワークを介して管理する第２の上位層とを有し、前記ネットワーク上の１つのノードを構成する統括ノードとを有する。